(57)【要約】【課題】特に移動体に搭載して好適な放送受信記録装置において、録画品位の低下検出に伴う再放送自動録画予約などの複雑な機能を要さず、移動に伴う受信環境の変化があっても、簡単な構成で現在受信中の放送番組を記録容量を無駄にせずに有効に記録すること。【解決手段】受信感度測定部２０においてＢＥＲやＳ／Ｎにより測定し２値化した放送受信レベルが受信不可能なレベル“Ｌ”に悪化した場合には、録画制御装置２１から表示制御装置１６およびエンコーダ１８に対して“録画停止”の制御信号を出力し、ＴＶモニタ１７に対する「録画停止」のメッセージ表示を行わせると共に記憶装置１９に対する録画を停止させ、放送受信レベルが受信可能なレベル“Ｈ”に改善した場合には、同録画制御装置２１からエンコーダ１８に対して“録画”の制御信号を出力し、記憶装置１９に対する録画を再開させるようにした。【選択図】図１
2007180814.tif 000002
【特許請求の範囲】
【請求項１】
移動体に搭載され、テレビ放送を受信して再生、記録する機能を備えた放送受信記録装置であって、
放送受信手段と、
この放送受信手段により受信された放送信号から得られる映像・音声信号を記録する記録手段と、
前記放送受信手段により受信された放送信号の受信レベルを測定する受信レベル測定手段と、
この受信レベル測定手段により測定された放送信号の受信レベルが予め設定された値以上であるか否かに応じて、設定値より低い場合には前記記録手段による映像・音声信号の記録を停止させ、前記設定値以上である場合には前記記録手段による映像・音声信号の記録を再開させる記録制御手段と、
を備えたことを特徴とする放送受信記録装置。
【請求項２】
前記受信レベル測定手段により測定された放送信号の受信レベルが予め設定された値より低い場合に記録停止を報知する報知手段をさらに備えたことを特徴とする請求項１に記載の放送受信記録装置。
【請求項３】
移動体に搭載され、テレビ放送を受信して再生、記録する機能を備えた放送受信記録装置であって、
放送受信手段と、
この放送受信手段により受信された放送信号から得られる映像・音声信号を記録する記録手段と、
前記放送受信手段により受信された放送信号の受信レベルを測定する受信レベル測定手段と、
この受信レベル測定手段により測定された放送信号の受信レベルが予め設定された値以上であるか否かに応じて、設定値より低い場合には前記記録手段による映像・音声信号の記録レートを、前記設定値以上の場合の記録レートよりも低く設定し、前記設定値以上である場合には前記記録手段による映像・音声信号の記録レートを高く設定する記録制御手段と、
を備えたことを特徴とする放送受信記録装置。
【請求項４】
前記記録制御手段により前記記録手段による映像・音声信号の記録レートが変更設定された際に、当該記録手段による映像・音声信号の記録と共にレート変更点の判別情報を記録する判別情報記録手段をさらに備えたことを特徴とする請求項３に記載の放送受信記録装置。
【請求項５】
移動体に搭載され、テレビ放送を受信して再生、記録する機能を備えた放送受信記録装置であって、
放送受信手段と、
この放送受信手段により受信された放送信号から得られる映像・音声信号を記録する記録手段と、
前記放送受信手段により受信された放送信号の受信レベルを測定する受信レベル測定手段と、
この受信レベル測定手段により測定された放送信号の受信レベルを予め設定された高低２つの閾値と比較し、当該受信レベルが各閾値より高くにあるか、各閾値間にあるか、各閾値より低くにあるかを識別する受信レベル識別手段と、
この受信レベル識別手段により前記放送信号の受信レベルが各閾値より高くにあると識別された場合には前記記録手段による映像・音声信号の所定の記録レートとして設定し、各閾値間にあると識別された場合には前記記録手段による映像・音声信号の記録レートを前記所定の記録レートよりも低く設定し、各閾値より低くにあると判断された場合には前記記録手段による映像・音声信号の記録を停止させる記録制御手段と、
を備えたことを特徴とする放送受信記録装置。
【発明の詳細な説明】
【技術分野】
【０００１】
本発明は、テレビジョン放送を受信・記録する機能を備え、特に移動体に搭載して好適な放送受信記録装置に関する。
【背景技術】
【０００２】
従来から、自動車などの移動体に搭載したテレビ受信機によってテレビジョン放送を受信して見ることが広く行われている。そして、この移動中に受信しているテレビ番組の録画についても試みがなされている。
【０００３】
しかし移動体が移動しているときには放送電波の受信環境が刻々と変化するため、安定した受信状態で安定した番組画面を表示させるのが難しく、その録画についても同様である。
【０００４】
移動中の受信状態を改善する技術としては、ダイバーシティ受信方式など、種々の受信技術が提案されているが、放送エリア、建造物、地理的環境などによって受信状態への影響を完全に防ぐのには自ずと限界がある。
【０００５】
このため、単にテレビジョン放送を受信して見るだけなら、その移動中の時々に番組画面が見づらかったり、見えなかったりするだけであるが、これを録画した場合には、受信状態の悪化により見辛くなったり見えなくなったりした番組部分までもそのまま、例えばＨＤＤ(Hard Disc Drive)、ＤＶＤ(Digital Versatile Disc)、フラッシュＲＯＭなどの記録媒体に記録され、その記録容量を無駄に使ってしまう。
【０００６】
一方で、一般据置型のビデオレコーダと称する記録再生装置であって、録画品位の低下を監視し、品位低下が生じた場合には録画レートを下げるか、または録画を停止して録画済み領域を消去した後に、ＥＰＧ(Electronic Program Guide)を取得して再放送の自動録画予約を行う情報記録再生装置が提案されている（例えば、特許文献１参照。）。
【特許文献１】特開２００５−１７６０８４号公報
【発明の開示】
【発明が解決しようとする課題】
【０００７】
そこで、前記従来の特許文献１にあるような情報記録再生装置を移動体に搭載して使用することも考えられるが、録画品位の低下を検出して記録レートを下げるか、または録画停止した後に、再放送の自動録画予約を行った場合でも、本来移動体であるためその再放送の録画時にも受信環境が変化することは避けられず、有効な再録画が出来るとは限らない問題がある。
【０００８】
ましてや、再放送そのものが予定されていない場合には、録画レートが下がったままの記録内容であったり、録画停止されたままであったりと、実質撮り逃がしが生じる問題がある。
【０００９】
本発明は、このような課題に鑑みなされたもので、録画品位の低下検出に伴う再放送自動録画予約などの複雑な機能を要することなく、移動に伴う受信環境の変化があっても、簡単な構成で現在受信中の放送番組を記録容量を無駄にせずに有効に記録することが可能になる放送受信記録装置を提供することを目的とする。
【課題を解決するための手段】
【００１０】
本発明の請求項１に記載した放送受信記録装置では、放送受信手段により受信された放送信号から得られる映像・音声信号を記録手段によって記録する際に、受信レベル測定手段により測定された放送信号の受信レベルが予め設定された値以上であるか否かに応じて、設定値より低い場合には前記記録手段による映像・音声信号の記録を停止させ、前記設定値以上である場合には前記記録手段による映像・音声信号の記録を再開させるようにした。
【発明の効果】
【００１１】
本発明に係る放送受信記録装置によれば、録画品位の低下検出に伴う再放送自動録画予約などの複雑な機能を要することなく、移動に伴う受信環境の変化があっても、簡単な構成で現在受信中の放送番組を記録容量を無駄にせずに有効に記録することが可能になる。
【発明を実施するための最良の形態】
【００１２】
以下図面により本発明の実施の形態について説明する。
【００１３】
（第１実施形態）
図１は、本発明の第１実施形態に係る車載用の放送受信記録再生装置の構成を示すブロック図である。
【００１４】
この放送受信記録再生装置の各部の動作は、プログラム制御されるＣＰＵ(Central Processing unit)からの指令信号によって制御される。
【００１５】
この放送受信記録再生装置は、放送局から送信される放送信号を受信してその受信信号に含まれる映像および音声を再生する機能、そしてこの再生する映像および音声を映像および音声データとして記録媒体に記録する機能を有する。
【００１６】
テレビアンテナ１１により受信された、例えば地上波デジタルテレビジョン放送の放送信号は、チューナ(Tuner)１２によってその放送チャンネルが選局され、この選局された放送チャンネルの信号はＯＦＤＭ(Orthogonal Frequency Division Multiplex)１３に供給される。
【００１７】
このＯＦＤＭ１３は、マルチキャリア方式で伝送・受信・選局された放送チャンネルの信号を復調するもので、この復調されたチャンネルの信号はＤｅＭＵＸ(De Multiplex)１４に供給されて映像信号、音声信号、データ放送信号に分離される。
【００１８】
このＤｅＭＵＸ(De Multiplex)１４によって分離処理された映像信号、音声信号、データ放送信号は、デコーダ(Decoder)１５を介し復号されてＤ／Ａ変換され、表示制御装置１６によってＴＶモニタ(TV Monitor)１７に出力されて再生される。
【００１９】
一方、前記デコーダ１５からの復号出力は、エンコーダ(Encoder)１８にも供給され、このエンコーダ１８によってＡ／Ｄ変換されて再符号化された受信選局再生中の映像信号、音声信号、データ放送信号は、録画制御装置２１からの制御信号に応じてＨＤＤ(Hard Disc Drive)やＤＶＤ(Digital Versatile Disc)などを使用した記憶装置１９に記録（ビデオ録画）される。
【００２０】
ここで、エンコーダ１８は、録画制御装置２１からの制御信号に応じて、記憶装置１９に対する録画／停止を選択的に切り替える機能を有する。
【００２１】
また、前記チューナ１２によって選局出力された放送チャンネルの信号は、受信感度測定部２０にも供給され、その受信レベルがＢＥＲ(Bit Error Ratio:所定時間内誤りビット割合)やＣ／Ｎ(Carrier/Noise)比などによって測定されるもので、この受信レベルの測定信号は前記録画制御装置２１へ出力される。
【００２２】
図２は、この第１実施形態の車載用の放送受信記録再生装置による放送受信レベルとその録画／停止の動作とを対比して示すタイミングチャートである。
【００２３】
録画制御装置２１は、前記受信感度測定部２０から入力された受信レベルの測定信号が放送受信可能（映像・音声再生可能）な受信レベルの場合に“Ｈ”、受信不可能なレベルの場合に“Ｌ”とする２値化処理を行うと共に、この２値化後の受信レベルに従って前記エンコーダ１８および表示制御装置１６を制御するもので、受信レベル測定時とそれから所定時間Ｔ経過後の各２値化受信レベルが何れも“Ｈ”であるときには、エンコーダ１８に対して記憶装置１９に対する録画許可の制御信号を出力する。
【００２４】
逆に、受信レベル測定時とそれから所定時間Ｔ経過後の各２値化受信レベルが何れも“Ｌ”であるときには、表示制御装置１６に対してＴＶモニタ１７に対する「録画停止メッセージ」表示の制御信号を出力すると共に、エンコーダ１８に対して記憶装置１９に対する録画停止の制御信号を出力する。
【００２５】
ここで、前記所定時間Ｔは、例えば移動時の受信環境の変化によってその放送受信レベルが一時的に放送受信不可能なレベルまで低下した際に、見る側にとって許容可能な長さの時間（例えば１秒）として設定される。
【００２６】
前記記憶装置１９に選択的に記録された映像信号、音声信号、データ放送信号は、ユーザによる再生操作に応じて前記デコーダ１５により再複合化され、表示制御装置１６によってＴＶモニタ１７へ出力されて再生される。
【００２７】
次に、前記構成の第１実施形態の車載用の放送受信記録再生装置による放送受信動作について説明する。
【００２８】
図３は、前記第１実施形態の車載用の放送受信記録再生装置による放送受信記録処理を示すフローチャートである。
【００２９】
例えばチューナ１２によって選局受信されＴＶモニタ１７にて再生される放送番組を録画する場合に、録画の開始が指示されると、受信感度測定部２０により測定された受信レベルが（ステップＳ１）、録画制御装置２１に入力されて２値化処理される（ステップＳ２）。
【００３０】
そして、所定時間Ｔ経過した時点で（ステップＳ３）、当該時間Ｔ経過前の受信感度測定時における２値化受信レベルが“Ｈ”（受信可能レベル）であるか否か判断され（ステップＳ４）、受信レベル“Ｈ”と判断されると、録画制御装置２１からエンコーダ１８に対して録画指示の制御信号が出力され、当該エンコーダ１８によって再符号化された放送番組の映像信号、音声信号、データ放送信号が記憶装置１９により録画される（ステップＳ５）。
【００３１】
一方、所定時間Ｔ経過した時点で（ステップＳ３）、当該時間Ｔ経過前の受信感度測定時における２値化受信レベルが“Ｌ”（受信不可能レベル）であると判断された場合（ステップＳ４（Ｎｏ））でも、同所定時間Ｔ経過後の２値化受信レベルが“Ｈ”（受信可能レベル）になっていると判断された場合（ステップＳ６（Ｙｅｓ））には、例えば図２のタイミングｔ１で示すように、前記同様に録画制御装置２１からエンコーダ１８に対して録画指示の制御信号が出力され、当該エンコーダ１８によって再符号化された放送番組の映像信号、音声信号、データ放送信号が記憶装置１９により録画される（ステップＳ５）。
【００３２】
一方、当該時間Ｔ経過前の受信感度測定時における２値化受信レベルが“Ｌ”（受信不可能レベル）であると判断される（ステップＳ４（Ｎｏ））と共に、同所定時間Ｔ経過後の２値化受信レベルも“Ｌ”（受信不可能レベル）であると判断された場合（ステップＳ６（Ｎｏ））には、録画制御装置２１から表示制御装置１６に対して「録画停止メッセージ」表示の制御信号が出力され、ＴＶモニタ１７に対し「録画停止」のメッセージが表示される（ステップＳ７）と共に、例えば図２のタイミングｔ２で示すように、エンコーダ１８に対して録画停止の制御信号が出力され、記憶装置１９に対する録画の動作が停止される（ステップＳ８）。
【００３３】
この後再び、受信感度測定時における２値化受信レベルが“Ｈ”（受信可能レベル）に回復したと判断された場合（ステップＳ１〜Ｓ４（Ｙｅｓ））には、例えば図２のタイミングｔ３で示すように、録画制御装置２１からエンコーダ１８に対して再び録画指示の制御信号が出力され、当該エンコーダ１８によって再符号化された放送番組の映像信号、音声信号、データ放送信号の記憶装置１９による録画が再開される（ステップＳ５）。
【００３４】
したがって、前記構成の第１実施形態の車載用の放送受信記録再生装置による放送受信機能によれば、受信感度測定部２０においてＢＥＲやＳ／Ｎにより測定し２値化した放送受信レベルが受信不可能なレベル“Ｌ”に悪化した場合には、録画制御装置２１から表示制御装置１６およびエンコーダ１８に対して“録画停止”の制御信号を出力し、ＴＶモニタ１７に対する「録画停止」のメッセージ表示を行わせると共に記憶装置１９に対する録画を停止させ、放送受信レベルが受信可能なレベル“Ｈ”に改善した場合には、同録画制御装置２１からエンコーダ１８に対して“録画”の制御信号を出力し、記憶装置１９に対する録画を再開させるようにしたので、移動に伴う受信環境の変化が継続的に存在する場合でも、簡単な構成で現在受信中の放送番組を記録容量を無駄にせずに有効に記録することができるようになる。
【００３５】
（第２実施形態）
図４は、本発明の第２実施形態に係る車載用の放送受信記録再生装置の構成を示すブロック図である。
【００３６】
この第２実施形態の車載用の放送受信記録再生装置において、前記図１における第１実施形態の放送受信記録再生装置と同一の構成部分については、同一の符号を付してその説明を省略する。
【００３７】
すなわち、この第２実施形態の放送受信記録再生装置では、エンコーダ１８Ａは、録画制御装置２１Ａからの制御信号に応じて、記憶装置１９に対する録画レート（例えばＭＰＥＧ記録圧縮レート）を“Ｈｉｇｈ”（高容量）または“Ｌｏｗ”（低容量）に選択的に切り替える機能を有する。
【００３８】
図５は、この第２実施形態の車載用の放送受信記録再生装置による放送受信レベルとその録画レートの変更動作とを対比して示すタイミングチャートである。
【００３９】
録画制御装置２１Ａは、受信感度測定部２０から入力された受信レベルの測定信号が放送受信可能（映像・音声再生可能）な受信レベルの場合に“Ｈ”、受信不可能なレベルの場合に“Ｌ”とする２値化処理を行うと共に、この２値化後の受信レベルに従って前記エンコーダ１８Ａを制御するもので、受信レベル測定時とそれから所定時間Ｔ経過後の各２値化受信レベルが何れも“Ｈ”であるときには、エンコーダ１８Ａに対して記憶装置１９に対する録画レートを“Ｈｉｇｈ”（大容量高画質）に変更する制御信号を出力する。
【００４０】
逆に、受信レベル測定時とそれから所定時間Ｔ経過後の各２値化受信レベルが何れも“Ｌ”であるときには、エンコーダ１８Ａに対して記憶装置１９に対する録画レートを“Ｌｏｗ”（低容量低画質）に変更する制御信号を出力する。
【００４１】
次に、前記構成の第２実施形態の車載用の放送受信記録再生装置による放送受信動作について説明する。
【００４２】
図６は、前記第２実施形態の車載用の放送受信記録再生装置による放送受信記録処理を示すフローチャートである。
【００４３】
この第２実施形態の車載用の放送受信記録再生装置による放送受信動作において、前記図３における第１実施形態の放送受信動作と同一の処理ステップについては、同一のステップ符号を付してその説明を省略する。
【００４４】
すなわち、時間Ｔ経過前の受信感度測定時における２値化受信レベルが“Ｈ”（受信可能レベル）であると判断された場合には、録画制御装置２１Ａからエンコーダ１８Ａに対して録画レート“Ｈｉｇｈ”（大容量高画質）の制御信号が出力され、当該エンコーダ１８Ａによって再符号化された放送番組の映像信号、音声信号、データ放送信号が大容量高画質の録画レートで記憶装置１９により録画される（ステップＳ５ａ）。
【００４５】
一方、時間Ｔ経過前の受信感度測定時における２値化受信レベルが“Ｌ”（受信不可能レベル）であると判断された場合（ステップＳ４（Ｎｏ））でも、同所定時間Ｔ経過後の２値化受信レベルが“Ｈ”（受信可能レベル）になっていると判断された場合（ステップＳ６（Ｙｅｓ））には、例えば図５のタイミングｔ１で示すように、前記同様に録画制御装置２１Ａからエンコーダ１８Ａに対して録画レート“Ｈｉｇｈ”（大容量高画質）の制御信号が出力され、当該エンコーダ１８Ａによって再符号化された放送番組の映像信号、音声信号、データ放送信号が大容量高画質の録画レートで記憶装置１９に録画される（ステップＳ５ａ）。
【００４６】
一方、当該時間Ｔ経過前の受信感度測定時における２値化受信レベルが“Ｌ”（受信不可能レベル）であると判断される（ステップＳ４（Ｎｏ））と共に、同所定時間Ｔ経過後の２値化受信レベルも“Ｌ”（受信不可能レベル）であると判断された場合（ステップＳ６（Ｎｏ））には、例えば図５のタイミングｔ２で示すように、エンコーダ１８Ａに対して録画レート“Ｌｏｗ”（低容量低画質）への変更制御信号が出力され、当該エンコーダ１８Ａによって再符号化された放送番組の映像信号、音声信号、データ放送信号が低容量低画質の録画レートに変更されて記憶装置１９に録画される（ステップＳ７ａ）。
【００４７】
この後再び、受信感度測定時における２値化受信レベルが“Ｈ”（受信可能レベル）に回復したと判断された場合（ステップＳ１〜Ｓ４（Ｙｅｓ））には、例えば図５のタイミングｔ３で示すように、録画制御装置２１Ａからエンコーダ１８Ａに対して録画レート“Ｈｉｇｈ”（大容量高画質）への変更制御信号が出力され、当該エンコーダ１８Ａによって再符号化された放送番組の映像信号、音声信号、データ放送信号が再び大容量高画質の録画レートに変更されて記憶装置１９に録画される（ステップＳ５ａ）。
【００４８】
したがって、前記構成の第２実施形態の車載用の放送受信記録再生装置による放送受信機能によれば、受信感度測定部２０においてＢＥＲやＳ／Ｎにより測定し２値化した放送受信レベルが受信不可能なレベル“Ｌ”に悪化した場合には、録画制御装置２１Ａからエンコーダ１８Ａに対して録画レート“Ｌｏｗ”への変更制御信号を出力し、記憶装置１９に対する録画容量を小さくして記録させ、放送受信レベルが受信可能なレベル“Ｈ”に改善した場合には、同録画制御装置２１Ａからエンコーダ１８Ａに対して録画レート“Ｈｉｇｈ”への変更制御信号を出力し、記憶装置１９に対する録画容量を大きく元通りにして記録させるようにしたので、移動に伴う受信環境の変化が継続的に存在する場合でも、簡単な構成で現在受信中の放送番組を記録容量を無駄にせずに有効に記録することができるようになる。
【００４９】
（第３実施形態）
図７は、本発明の第３実施形態に係る車載用の放送受信記録再生装置の構成を示すブロック図である。
【００５０】
この第３実施形態の車載用の放送受信記録再生装置において、前記図４における第２実施形態の放送受信記録再生装置と同一の構成部分については、同一の符号を付してその説明を省略する。
【００５１】
すなわち、この第３実施形態の放送受信記録再生装置では、エンコーダ１８Ｂは、録画制御装置２１Ｂからの制御信号に応じて、記憶装置１９に対する録画レート（例えばＭＰＥＧ記録圧縮レート）を“Ｈｉｇｈ”（高容量）または“Ｌｏｗ”（低容量）または録画停止に選択的に切り替える機能を有する。
【００５２】
図８は、この第３実施形態の車載用の放送受信記録再生装置による放送受信レベルの２段階の識別信号１，２とその録画レートの変更・停止動作とを対比して示すタイミングチャートである。
【００５３】
録画制御装置２１Ｂは、受信感度測定部２０から入力された受信レベルの測定信号が高品質受信可能な閾値１より高いか又は閾値１以下かの場合に識別信号１をＯＦＦ“Ｈ”又はＯＮ“Ｌ”、受信不可能になる閾値２より高いか又は閾値２以下かの場合に識別信号２をＯＦＦ“Ｈ”又はＯＮ“Ｌ”とする２段階の２値化処理を行うと共に、この２段階２値化後の受信レベルの識別信号１，２に従って前記エンコーダ１８Ｂを制御するもので、受信レベル測定時から所定時間Ｔ経過後の識別信号１がＯＦＦ“Ｈ”であり高品質受信可能な閾値１より高い受信レベルであるときには、エンコーダ１８Ｂに対して記憶装置１９に対する録画レートを“Ｈｉｇｈ”（大容量高画質）に変更する制御信号を出力する。
【００５４】
また、識別信号２がＯＦＦ“Ｈ”であり最低受信可能な閾値２より高い受信レベルであっても、識別信号１がＯＮ“Ｌ”になり高品質受信可能な閾値１以下の受信レベルに低下したときには、エンコーダ１８Ｂに対して記憶装置１９に対する録画レートを“Ｌｏｗ”（低容量低画質）に変更する制御信号を出力する。
【００５５】
さらに、識別信号２もＯＮ“Ｌ”になり最低受信可能な閾値２以下の受信レベルまで低下したときには、エンコーダ１８Ｂに対して記憶装置１９に対する録画停止の制御信号を出力する。
【００５６】
次に、前記構成の第３実施形態の車載用の放送受信記録再生装置による放送受信動作について説明する。
【００５７】
図９は、前記第３実施形態の車載用の放送受信記録再生装置による放送受信記録処理を示すフローチャートである。
【００５８】
例えばチューナ１２によって選局受信されＴＶモニタ１７にて再生される放送番組を録画する場合に、録画の開始が指示されると、受信感度測定部２０により測定された受信レベルが（ステップＡ１）、録画制御装置２１Ｂに入力されて高品質受信可能な閾値１以下か又は同閾値１より高いか判断され（ステップＡ２）、同閾値１より高い、つまり高品質受信可能な受信レベルであると判断された場合（ステップＡ２（Ｎｏ））には、識別信号１，２共にＯＦＦ“Ｈ”とされる（ステップＡ３）。
【００５９】
そして、所定時間Ｔ経過した際に（ステップＡ４）、識別信号１，２共にＯＦＦ“Ｈ”と判断され、高品質受信可能な受信レベルである場合には（ステップＡ５（Ｎｏ）→Ａ６（Ｎｏ））、例えば図８のタイミングｔ１で示すように、エンコーダ１８Ｂに対して録画レート“Ｈｉｇｈ”（大容量高画質）の制御信号が出力され、当該エンコーダ１８Ｂによって再符号化された放送番組の映像信号、音声信号、データ放送信号が大容量高画質の録画レートで記憶装置１９に録画される（ステップＡ７）。
【００６０】
一方、前記受信感度測定部２０により測定されて録画制御装置２１Ｂに入力された受信レベルが高品質受信可能な閾値１以下であると判断された場合（ステップＡ２（Ｙｅｓ））には、識別信号１がＯＮ“Ｌ”とされる（ステップＡ８）。
【００６１】
そして、同入力された受信レベルが最低受信可能な閾値２よりは高いと判断された場合（ステップＡ９（Ｎｏ））には、識別信号２がＯＦＦ“Ｈ”とされる（ステップＡ１０）。
【００６２】
そして、所定時間Ｔ経過した際に（ステップＡ４）、識別信号２がＯＦＦ“Ｈ”と判断されて最低受信可能な受信レベルは超えていても（ステップＡ５（Ｎｏ））、識別信号１がＯＮ“Ｌ”と判断されて高品質受信可能な受信レベル以下である場合には（ステップＡ６（Ｙｅｓ））、例えば図８のタイミングｔ２で示すように、エンコーダ１８Ｂに対して録画レート“Ｌｏｗ”（低容量低画質）への変更制御信号が出力され、当該エンコーダ１８Ｂによって再符号化された放送番組の映像信号、音声信号、データ放送信号が低容量低画質の録画レートに変更されて記憶装置１９に録画される（ステップＡ１１）。
【００６３】
一方、前記受信感度測定部２０により測定されて録画制御装置２１Ｂに入力された受信レベルが最低受信可能な閾値２以下と判断された場合（ステップＡ９（Ｙｅｓ））には、識別信号１，２共にＯＮ“Ｌ”とされる（ステップＡ１２）。
【００６４】
そして、所定時間Ｔ経過した際に（ステップＡ４）、識別信号２がＯＮ“Ｌ”と判断されて最低受信可能な受信レベル以下である場合には（ステップＡ５（Ｙｅｓ））、例えば図８のタイミングｔ３で示すように、エンコーダ１８Ｂに対して録画停止の制御信号が出力され、記憶装置１９に対する録画の動作が停止される（ステップＡ１３）。
【００６５】
この後再び、識別信号１，２共にＯＦＦ“Ｈ”と判断され、高品質受信可能な受信レベルに回復した場合には（ステップＡ５（Ｎｏ）→Ａ６（Ｎｏ））、例えば図８のタイミングｔ４で示すように、エンコーダ１８Ｂに対して録画レート“Ｈｉｇｈ”（大容量高画質）の変更制御信号が出力され、当該エンコーダ１８Ｂによって再符号化された放送番組の映像信号、音声信号、データ放送信号が再び大容量高画質の録画レートに変更されて記憶装置１９に録画される（ステップＡ７）。
【００６６】
したがって、前記構成の第３実施形態の車載用の放送受信記録再生装置による放送受信機能によれば、受信感度測定部２０においてＢＥＲやＳ／Ｎにより測定した放送受信レベルを、高品質受信可能な閾値１を超えるか否かで“Ｈ”“Ｌ”２値化した識別信号１と、最低受信可能な閾値２を超えるか否かで“Ｈ”“Ｌ”２値化した識別信号２として判断し、当該識別信号１，２が共に“Ｌ”となり放送受信レベルが受信不可能なレベルまで悪化した場合には、録画制御装置２１Ｂからエンコーダ１８Ｂに対して“録画停止”の制御信号を出力し、記憶装置１９に対する録画を停止させる。そして、識別信号２だけが“Ｈ”となり放送受信レベルが受信可能な最低レベルを超えて回復した場合には、録画制御装置２１Ｂからエンコーダ１８Ｂに対して録画レート“Ｌｏｗ”への変更制御信号を出力し、記憶装置１９に対する録画容量を小さくして記録再開させ、さらに識別信号１，２が共に“Ｈ”となり放送受信レベルが高品質受信可能なレベルまで回復した場合には、同録画制御装置２１Ｂからエンコーダ１８Ｂに対して録画レート“Ｈｉｇｈ”への変更制御信号を出力し、記憶装置１９に対する録画容量を大きくして記録させるようにしたので、移動に伴う受信環境の変化が継続的に存在する場合でも、簡単な構成で現在受信中の放送番組を記録容量を無駄にせずに有効に記録することができるようになる。
【００６７】
（第４実施形態）
図１０は、本発明の第４実施形態に係る車載用の放送受信記録再生装置の構成を示すブロック図である。
【００６８】
この第４実施形態の車載用の放送受信記録再生装置において、前記図４における第２実施形態の放送受信記録再生装置と同一の構成部分については、同一の符号を付してその説明を省略する。
【００６９】
すなわち、この第４実施形態の放送受信記録再生装置では、エンコーダ１８Ｃは、録画制御装置２１Ｃからの制御信号に応じて、記憶装置１９に対する録画レート（例えばＭＰＥＧ記録圧縮レート）を“Ｈｉｇｈ”（高容量）または“Ｌｏｗ”（低容量）に選択的に切り替える機能、および当該録画レートの変更に伴いその判別フラグを録画信号に含ませて記録させる機能を有する。
【００７０】
図１１は、この第４実施形態の車載用の放送受信記録再生装置による放送受信レベルとその録画レートの変更および判別フラグ設定動作とを対比して示すタイミングチャートである。
【００７１】
録画制御装置２１Ｃは、受信感度測定部２０から入力された受信レベルの測定信号が放送受信可能（映像・音声再生可能）な受信レベルの場合に“Ｈ”、受信不可能なレベルの場合に“Ｌ”とする２値化処理を行うと共に、この２値化後の受信レベルに従って前記エンコーダ１８Ｃを制御するもので、受信レベル測定時とそれから所定時間Ｔ経過後の各２値化受信レベルが何れも“Ｈ”であるときには、エンコーダ１８Ｃに対して記憶装置１９に対する録画レートを“Ｈｉｇｈ”（大容量高画質）に変更しレート変更判別フラグを記録させる制御信号を出力する。
【００７２】
逆に、受信レベル測定時とそれから所定時間Ｔ経過後の各２値化受信レベルが何れも“Ｌ”であるときには、エンコーダ１８Ｃに対して記憶装置１９に対する録画レートを“Ｌｏｗ”（低容量低画質）に変更しレート変更判別フラグを記録させる制御信号を出力する。
【００７３】
そして、表示制御装置１６Ａは、前記記憶装置１９に録画された放送番組の映像・音声信号を読み出し、デコーダ１５を介して復号化しＴＶモニタ１７にて再生させる際に、その再生信号に含まれているレート変更判別フラグを検出し当該フラグ間隔でスキップ再生させる機能を有する。
【００７４】
次に、前記構成の第４実施形態の車載用の放送受信記録再生装置による放送受信動作について説明する。
【００７５】
図１２は、前記第４実施形態の車載用の放送受信記録再生装置による放送受信記録処理を示すフローチャートである。
【００７６】
この第４実施形態の車載用の放送受信記録再生装置による放送受信動作において、前記図６における第２実施形態の放送受信動作と同一の処理ステップについては、同一のステップ符号を付してその説明を省略する。
【００７７】
すなわち、時間Ｔ経過前の受信感度測定時における２値化受信レベルが“Ｈ”（受信可能レベル）であると判断された際に（ステップＳ４（Ｙｅｓ））、現在の録画レートが“Ｈｉｇｈ”ではないと判断された場合（ステップＳ４ａ（Ｎｏ））には、例えば図１１のタイミングｔ２で示すように、録画制御装置２１Ｃからエンコーダ１８Ｃに対して録画レート“Ｈｉｇｈ”（大容量高画質）への変更制御信号が出力されると共に、レート変更判別フラグの書込制御信号も出力され、当該エンコーダ１８Ｃから記憶装置１９へレート変更判別フラグが書き込まれると共に、再符号化された放送番組の映像信号、音声信号、データ放送信号が大容量高画質の録画レートで録画される（ステップＳ４ｂ，Ｓ５ａ，Ｓ５ｂ）。
【００７８】
一方、時間Ｔ経過前の受信感度測定時における２値化受信レベルが“Ｌ”（受信不可能レベル）であると判断された場合（ステップＳ４（Ｎｏ））でも、同所定時間Ｔ経過後の２値化受信レベルが“Ｈ”（受信可能レベル）になっていると判断された場合（ステップＳ６（Ｙｅｓ））には、例えば図１１のタイミングｔ１で示すように、現在の録画レート“Ｈｉｇｈ”（大容量高画質）の制御信号のまま維持され、再符号化された放送番組の映像信号、音声信号、データ放送信号が継続して大容量高画質の録画レートで録画される（ステップＳ４ａ（Ｙｅｓ））。
【００７９】
一方、当該時間Ｔ経過前の受信感度測定時における２値化受信レベルが“Ｌ”（受信不可能レベル）であると判断される（ステップＳ４（Ｎｏ））と共に、同所定時間Ｔ経過後の２値化受信レベルも“Ｌ”（受信不可能レベル）であると判断された場合（ステップＳ６（Ｎｏ））には、例えば図１１のタイミングｔ４で示すように、エンコーダ１８Ｃに対して録画レート“Ｌｏｗ”（低容量低画質）への変更制御信号が出力されると共に、レート変更判別フラグの書込制御信号も出力され、当該エンコーダ１８Ｃから記憶装置１９へレート変更判別フラグが書き込まれると共に、再符号化された放送番組の映像信号、音声信号、データ放送信号が低容量低画質の録画レートに変更されて録画される（ステップＳ６ａ→Ｓ６ｂ，Ｓ７ａ，Ｓ７ｂ）。
【００８０】
この後再び、受信感度測定時における２値化受信レベルが“Ｈ”（受信可能レベル）に回復したと判断された場合（ステップＳ１〜Ｓ４（Ｙｅｓ））には、例えば図１１のタイミングｔ２で示すように、録画制御装置２１Ｃから録画制御装置２１Ｃからエンコーダ１８Ｃに対して録画レート“Ｈｉｇｈ”（大容量高画質）への変更制御信号が出力されると共に、レート変更判別フラグの書込制御信号も出力され、当該エンコーダ１８Ｃから記憶装置１９へレート変更判別フラグが書き込まれると共に、再符号化された放送番組の映像信号、音声信号、データ放送信号が再び大容量高画質の録画レートに変更されて録画される（ステップＳ４ａ→Ｓ４ｂ，Ｓ５ａ，Ｓ５ｂ）。
【００８１】
次に、このような放送受信処理によって記憶装置１９に録画された放送番組の再生動作について説明する。
【００８２】
図１３は、前記第４実施形態の車載用の放送受信記録再生装置による再生時動作を説明するためのタイミングチャートである。
【００８３】
ユーザ操作に応じて前記記憶装置１９に録画された放送番組の映像・音声信号を再生する場合、当該記憶装置１９から読み出された録画済み放送番組の映像・音声信号は、デコーダ１５を介して復号化処理され、表示制御装置１６ＡによってＴＶモニタ１７に出力されて再生される。
【００８４】
この際、表示制御装置１６Ａでは、図１３に示すように、再生すべき映像・音声信号に含まれているレート変更判別フラグが検出される。そして、ユーザ指示に基づいた指令信号に応じて、前記記憶装置１９からの録画済み映像・音声信号の読み出し動作が前記レート変更判別フラグの間隔で制御される。
【００８５】
これにより、例えば放送受信レベルが悪化したときに“Ｌｏｗレート”で録画されたところの映像・音声を選択的にスキップさせて再生させることができる。
【００８６】
したがって、前記構成の第４実施形態の車載用の放送受信記録再生装置による放送受信機能によれば、受信感度測定部２０においてＢＥＲやＳ／Ｎにより測定し２値化した放送受信レベルが受信不可能なレベル“Ｌ”に悪化した場合には、録画制御装置２１Ｃからエンコーダ１８Ｃに対して録画レート“Ｌｏｗ”への変更制御信号を出力し、記憶装置１９に対する録画容量を小さくして記録させると共に当該録画信号にレート変更判別フラグを書き込んで記録させる。そして、放送受信レベルが受信可能なレベル“Ｈ”に改善した場合には、同録画制御装置２１Ｃからエンコーダ１８Ｃに対して録画レート“Ｈｉｇｈ”への変更制御信号を出力し、記憶装置１９に対する録画容量を大きく元通りにして記録させると共に、当該録画信号にレート変更判別フラグを書き込んで記録させるようにしたので、移動に伴う受信環境の変化が継続的に存在する場合でも、簡単な構成で現在受信中の放送番組を記録容量を無駄にせずに有効に記録することができるようになる。
【００８７】
またそればかりでなく、録画内容を再生する際には、記憶装置１９から読み出される映像・音声信号にその録画レートの変更点毎に書き込まれたレート変更判別フラグを検出し、容易にユーザ任意のフラグ間隔でスキップ再生させることができる。
【００８８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８９】
【図１】本発明の第１実施形態に係る車載用の放送受信記録再生装置の構成を示すブロック図。
【図２】前記第１実施形態の車載用の放送受信記録再生装置による放送受信レベルとその録画／停止の動作とを対比して示すタイミングチャート。
【図３】前記第１実施形態の車載用の放送受信記録再生装置による放送受信記録処理を示すフローチャート。
【図４】本発明の第２実施形態に係る車載用の放送受信記録再生装置の構成を示すブロック図。
【図５】前記第２実施形態の車載用の放送受信記録再生装置による放送受信レベルとその録画レートの変更動作とを対比して示すタイミングチャート。
【図６】前記第２実施形態の車載用の放送受信記録再生装置による放送受信記録処理を示すフローチャート。
【図７】本発明の第３実施形態に係る車載用の放送受信記録再生装置の構成を示すブロック図。
【図８】前記第３実施形態の車載用の放送受信記録再生装置による放送受信レベルの２段階の識別信号１，２とその録画レートの変更・停止動作とを対比して示すタイミングチャート。
【図９】前記第３実施形態の車載用の放送受信記録再生装置による放送受信記録処理を示すフローチャート。
【図１０】本発明の第４実施形態に係る車載用の放送受信記録再生装置の構成を示すブロック図。
【図１１】前記第４実施形態の車載用の放送受信記録再生装置による放送受信レベルとその録画レートの変更および判別フラグ設定動作とを対比して示すタイミングチャート。
【図１２】前記第４実施形態の車載用の放送受信記録再生装置による放送受信記録処理を示すフローチャート。
【図１３】前記第４実施形態の車載用の放送受信記録再生装置による再生時動作を説明するためのタイミングチャート。
【符号の説明】
【００９０】
１１…ＴＶアンテナ、１２…チューナ(Tuner)、１３…ＯＦＤＭ、１４…ＤｅＭＵＸ、１５…デコーダ(Decoder)、１６、１６Ａ…表示制御部、１７…ＴＶモニタ、１８、１８Ａ、１８Ｂ、１８Ｃ…エンコーダ(Encoder)、１９…記憶装置、２０…受信感度測定部、２１、２１Ａ、２１Ｂ、２１Ｃ…録画制御装置。
【図１】
2007180814.tif 000003
【図２】
2007180814.tif 000004
【図３】
2007180814.tif 000005
【図４】
2007180814.tif 000006
【図５】
2007180814.tif 000007
【図６】
2007180814.tif 000008
【図７】
2007180814.tif 000009
【図８】
2007180814.tif 000010
【図９】
2007180814.tif 000011
【図１０】
2007180814.tif 000012
【図１１】
2007180814.tif 000013
【図１２】
2007180814.tif 000014
【図１３】
2007180814.tif 000015